(57)【特許請求の範囲】
【請求項１】
顧客が操作を行なう操作部と、
情報読取ユニットと、
を備え、
前記情報読取ユニットを構成する外装カバーは、前記操作部を一方向から遮蔽し、
前記情報読取ユニットは、指静脈認証ユニットおよび手のひら静脈認証ユニットであって、
前記手のひら静脈認証ユニットまたは前記指静脈認証ユニットを構成する外装カバーは、前記操作部を一方向から遮蔽し、
前記手のひら静脈認証ユニットは、前記手のひら静脈認証ユニットの上面が、前記指静脈認証ユニットの上面より高くなるよう設けられ、
前記手のひら静脈認証ユニットおよび前記指静脈認証ユニットは隣接し、いずれか一方が前記操作部側に設けられる、自動取引装置。
【請求項２】
顧客が操作を行なう操作部と、
情報読取ユニットと、
を備え、
前記情報読取ユニットを構成する外装カバーは、前記操作部を一方向から遮蔽し、
前記外装カバーは、前記操作部の方向に傾斜し、
前記外装カバーの面は、下方が前記操作部に対して垂直に構成され、上方が前記操作部側に傾斜して構成される、自動取引装置。
【請求項３】
前記情報読取ユニットは、指静脈認証ユニットおよび手のひら静脈認証ユニットであり、
前記指静脈認証ユニットおよび手のひら静脈認証ユニットの少なくともいずれかを構成する外装カバーは、前記操作部を一方向から遮蔽する、請求項２に記載の自動取引装置。
【請求項４】
前記情報読取ユニットは、指静脈認証ユニット、手のひら静脈認証ユニット、およびＩＣ読取ユニットの少なくともいずれかである、請求項２に記載の自動取引装置。
【請求項５】
前記自動取引装置は、
前記操作部に対して前記情報読取ユニットが設けられる側とは逆側から前記操作部を遮蔽する遮蔽板をさらに備える、請求項１〜４のいずれか１項に記載の自動取引装置。
【請求項６】
前記遮蔽板は、前記操作部を遮蔽する外装カバーと同じ高さである、請求項５に記載の自動取引装置。
【請求項７】
顧客が操作を行なう操作部と、
情報読取ユニットと、
を備え、
前記情報読取ユニットは、指静脈認証ユニット、手のひら静脈認証ユニット、およびＩＣ読取ユニットであり、
前記指静脈認証ユニットおよび手のひら静脈認証ユニットの少なくともいずれかを構成する第１の外装カバーは、前記操作部を一方向から遮蔽し、
前記ＩＣ読取ユニットを構成する第２の外装カバーは、前記操作部を遮蔽する前記第１の外装カバーと対向する側から前記操作部を遮蔽し、
前記ＩＣ読取ユニットの第２の外装カバーは、ＩＣからデータを読み取る面より高く形成される、自動取引装置。
【請求項８】
前記指静脈認証ユニットは、前記手のひら静脈認証ユニットの後方に設けられる、請求項３〜７のいずれか１項に記載の自動取引装置。
【請求項９】
前記第２の外装カバーは、前記操作部を遮蔽する前記第１の外装カバーと同じ高さである、請求項７に記載の自動取引装置。
【発明の詳細な説明】
【技術分野】
【０００１】
本発明は、自動取引装置に関する。
【背景技術】
【０００２】
昨今、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【０００３】
このような自動取引装置には、暗証番号を入力するテンキーと、テンキーを遮蔽する遮蔽板が設けられている（特許文献１参照）。遮蔽板を設けることで、暗証番号入力時の覗き見を防止することができる。
【先行技術文献】
【特許文献】
【０００４】
【特許文献１】特開２０１０−２１１６７６号公報
【発明の概要】
【発明が解決しようとする課題】
【０００５】
また、上述したような自動取引装置には、硬貨入出金ユニット、非接触ＩＣ読取ユニット、生体情報読取ユニットなどの拡張ユニットが、自動取引装置の使用目的に応じてさらに設けられている。
【０００６】
ここで、特許文献１に示すようなテンキーの両側に遮蔽板が設けられる自動取引装置に上記拡張ユニットが配置される場合は、テンキーおよび遮蔽板が設けられる領域以外の空いているスペースに複数の拡張ユニットを設ける必要があった。
【０００７】
しかしながら、空いているスペースが少ない場合は配置できる拡張ユニットに限りがあった。また、拡張ユニットのうち、非接触ＩＣ読取ユニットや生体情報読取ユニットなどの情報読取ユニットを複数配置したい場合は、顧客操作パネルの外形を広げたり、その周辺カバーを大型化しなければならなかった。
【０００８】
そこで、本発明は、上記問題に鑑みてなされたものであり、本発明の目的とするところは、自動取引装置の限られた配置スペースを有効活用することを可能とする、新規かつ改良された自動取引装置を提供することにある。
【課題を解決するための手段】
【０００９】
上記課題を解決するために、本発明のある観点によれば、顧客が操作を行なう操作部と、情報読取ユニットと、を備え、前記情報読取ユニットを構成する外装カバーは、前記操作部を一方向から遮蔽し、前記情報読取ユニットは、指静脈認証ユニットおよび手のひら静脈認証ユニットであって、前記手のひら静脈認証ユニットまたは前記指静脈認証ユニットを構成する外装カバーは、前記操作部を一方向から遮蔽し、前記手のひら静脈認証ユニットは、前記手のひら静脈認証ユニットの上面が、前記指静脈認証ユニットの上面より高くなるよう設けられ、前記手のひら静脈認証ユニットおよび前記指静脈認証ユニットは隣接し、いずれか一方が前記操作部側に設けられる、自動取引装置が提供される。
【００１０】
また、本発明の他の観点によれば、顧客が操作を行なう操作部と、情報読取ユニットと、を備え、前記情報読取ユニットを構成する外装カバーは、前記操作部を一方向から遮蔽し、前記外装カバーは、前記操作部の方向に傾斜し、前記外装カバーの面は、下方が前記操作部に対して垂直に構成され、上方が前記操作部側に傾斜して構成される。
【００１１】
また、前記情報読取ユニットは、指静脈認証ユニットおよび手のひら静脈認証ユニットであり、前記指静脈認証ユニットおよび手のひら静脈認証ユニットの少なくともいずれかを構成する外装カバーは、前記操作部を一方向から遮蔽する。
【００１２】
また、前記情報読取ユニットは、指静脈認証ユニット、手のひら静脈認証ユニット、およびＩＣ読取ユニットの少なくともいずれかである。
【００１３】
また、前記自動取引装置は、前記操作部に対して前記情報読取ユニットが設けられる側とは逆側から前記操作部を遮蔽する遮蔽板をさらに備える。
【００１４】
また、前記遮蔽板は、前記操作部を遮蔽する外装カバーと同じ高さである。
【００１５】
また、本発明の他の観点によれば、顧客が操作を行なう操作部と、情報読取ユニットと、を備え、前記情報読取ユニットは、指静脈認証ユニット、手のひら静脈認証ユニット、およびＩＣ読取ユニットであり、前記指静脈認証ユニットおよび手のひら静脈認証ユニットの少なくともいずれかを構成する第１の外装カバーは、前記操作部を一方向から遮蔽し、前記ＩＣ読取ユニットを構成する第２の外装カバーは、前記操作部を遮蔽する前記第１の外装カバーと対向する側から前記操作部を遮蔽し、前記ＩＣ読取ユニットの第２の外装カバーは、ＩＣからデータを読み取る面より高く形成される、自動取引装置が提供される。
【００１６】
また、前記指静脈認証ユニットは、前記手のひら静脈認証ユニットの後方に設けられる。
【００１７】
また、前記第２の外装カバーは、前記操作部を遮蔽する前記第１の外装カバーと同じ高さである。
【発明の効果】
【００１８】
以上説明したように本発明によれば、自動取引装置の限られた配置スペースを有効活用することができる。
【図面の簡単な説明】
【００１９】
【図１】本発明の実施形態による自動取引装置の概略外観図である。
【図２】本発明の実施形態による自動取引装置の構成を示した説明図である。
【図３】本発明の第１の実施形態による操作パネル上の配置を説明するための図である。
【図４】本発明の第２の実施形態による操作パネル上の配置を説明するための図である。
【図５】本発明の第３の実施形態による操作パネル上の配置を説明するための図である。
【図６】本発明の第４の実施形態による操作パネル上の配置を説明するための図である。
【図７】比較例１に係る自動取引装置の操作パネル上の配置スペースを説明するための図である。
【図８】図７に示す自動取引装置の操作パネル上に指静脈認証装置を配置した場合を説明するための図である。
【図９】図７に示す自動取引装置の操作パネル上に手のひら静脈認証装置を配置した場合を説明するための図である。
【図１０】図７に示す自動取引装置の操作パネル上にＩＣ読取ユニットを配置した場合を説明するための図である。
【発明を実施するための形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
なお、説明は以下の順序で行うものとする。
１．自動取引装置の基本構成
２．第１の実施の形態
３．第２の実施の形態
４．第３の実施の形態
５．第４の実施の形態
６．まとめ
【００２２】
＜１．本発明の各実施形態に共通する表示制御装置の基本構成＞
本発明は、一例として「２．第１の実施形態」〜「５．第４の実施形態」において詳細に説明するように、多様な形態で実施され得る。また、各実施形態において説明する表示制御装置は、
Ａ：操作部（テンキー１６）と、
Ｂ：情報読取ユニットと（手のひら静脈認証ユニット３０、指静脈認証ユニット４０、ＩＣ読取ユニット５０）、を備え、
Ｃ：前記情報読取ユニットを構成する外装カバー（外装カバー面３０ａ）は、前記操作部を一方向から遮蔽する。
【００２３】
以下では、まず、このような各実施形態において共通する基本構成について図１および図２を参照して説明する。
【００２４】
［１−１．自動取引装置の構成］
まず、図１及び図２を参照して、本発明の実施形態に係る自動取引装置の構成について説明する。
【００２５】
（自動取引装置の外観）
図１は、本発明の実施形態に係る自動取引装置の概略外観図である。図１に示したように、自動取引装置１は、操作／表示部１０、カード取扱部１１、レシート取扱部１２、顧客操作パネル１３、紙幣入出金部１４、硬貨入出金部１５、テンキー１６、遮蔽板６０、手のひら静脈認証ユニット３０、指静脈認証ユニット４０およびＩＣ読取ユニット５０を備える。
【００２６】
ここで、紙幣入出金部１４、硬貨入出金部１５、テンキー１６、遮蔽板６０、手のひら静脈認証ユニット３０、指静脈認証ユニット４０およびＩＣ読取ユニット５０は、顧客操作パネル１３上に設けられている。なお、図１においては、遮蔽板６０、手のひら静脈認証ユニット３０、指静脈認証ユニット４０およびＩＣ読取ユニット５０の配置構成は、一例として後述する＜２．第１の実施形態＞の配置構成を図示する。このような自動取引装置１は、銀行や駅構内などの多様な場所に設置され、顧客が所望する取引を実行する。
【００２７】
自動取引装置１が備える操作／表示部１０は、顧客による操作を誘導するための表示画面を表示する表示部、および顧客操作を検出する顧客操作部としての機能を包含する。表示部としての機能は、例えば、ＣＲＴ（Ｃａｔｈｏｄｅ  Ｒａｙ  Ｔｕｂｅ）ディスプレイ装置、液晶ディスプレイ（ＬＣＤ）装置、ＯＬＥＤ（Ｏｒｇａｎｉｃ  Ｌｉｇｈｔ  Ｅｍｉｔｔｉｎｇ  Ｄｉｏｄｅ）装置により実現される。また、顧客操作部としての機能は例えばタッチパネルやボタンにより実現される。なお、図１および図２においては表示部および顧客操作部の機能が自動取引装置１において一体的に構成される例を示すが、表示部および顧客操作部の機能は分離して構成されてもよい。
【００２８】
カード取扱部１１は、取引に使用する磁気カードまたはＩＣカードなどのキャッシュカードが挿入又は排出し、カードからのデータを読み取る。レシート取扱部１２は、取引明細であるレシートの印字などを行い、レシートを排出する。
【００２９】
紙幣入出金部１４は、紙幣の入金又は出金を行なう。具体的には、紙幣入出金部１４は、入金取引時、顧客により入金された紙幣の枚数を計数して自動取引装置１内に保管する。また、紙幣入出金部１４は、顧客に返却する紙幣や出金取引時に出金すべき紙幣の枚数を計数し、紙幣を顧客により取り出し可能な位置に搬送する。
【００３０】
硬貨入出金部１５は、硬貨の入金又は出金を行なう。具体的には、硬貨入出金部１５は、入金取引時、顧客により入金された硬貨の枚数を計数して自動取引装置１内に保管する。また、硬貨入出金部１５は、出金取引時、出金すべき硬貨の枚数を計数し、硬貨を顧客により取り出し可能な位置に搬送する。
【００３１】
なお、上述した紙幣入出金部１４及び硬貨入出金部１５には、図示しない駆動部によって動作されるシャッターが設けられる。
【００３２】
テンキー１６は、操作部の一例であり、０〜９の数字が印字されたキーである。顧客はテンキー１６から暗証番号や入出金する金額を入力する。なお、操作部はテンキー１６に限定されず、文字が印字されたキーや、タッチパネルであってもよい。
【００３３】
手のひら静脈認証ユニット３０、指静脈認証ユニット４０およびＩＣ読取ユニット５０は、情報読取ユニットの一例である。手のひら静脈認証ユニット３０および指静脈認証ユニット４０は、センサにより対象（手のひらや指）の静脈パターンを取得し、予め登録された静脈パターンと比較して本人確認を行う。静脈パターンの取得は、例えばセンサ（読取部３１）から近赤外光を対象に向けて照射し、反射してきた手のひら静脈紋様を取得する反射型撮影方式を用いる。
【００３４】
ＩＣ読取ユニット５０は、ＩＣ（Ｉｎｔｅｇｒａｔｅｄ  Ｃｉｒｃｕｉｔ）を内蔵するカードや携帯電話などから、予め登録された顧客の生体情報や口座番号などの顧客情報を読み取る。ＩＣ読取ユニット５０は接触型でもよいし、非接触型でもよい。
【００３５】
遮蔽板６０は、テンキー１６を一方向から遮蔽する。さらに、図１に示すように、テンキー１６は、遮蔽板６０が設けられている側と逆側に位置する手のひら静脈認証ニット３０の外装カバー面３０ａにより遮蔽される。
【００３６】
このように、本実施形態による自動取引装置１では、手のひら静脈認証ユニット３０を構成する外装カバーの一面（外装カバー面３０ａ）が、テンキー１６を遮蔽する遮蔽板を兼ねた構成となる。
【００３７】
（自動取引装置の構成）
図２は、本発明の実施形態に係る自動取引装置１の構成を示した説明図である。図２に示したように、自動取引装置１は、操作／表示部１０、カード取扱部１１、レシート取扱部１２、紙幣入出金部１４、硬貨入出金部１５、テンキー１６、制御部１７、ＨＤＤ（Ｈａｒｄ  Ｄｉｓｃ  Ｄｒｉｖｅ）１８、係員操作部１９、通信部２０、手のひら静脈認証ユニット３０、指静脈ユニット４０およびＩＣ読取ユニット５０を備える。以下、各構成について説明するが、操作／表示部１０、カード取扱部１１、レシート取扱部１２、紙幣入出金部１４、硬貨入出金部１５、テンキー１６、手のひら静脈認証ユニット３０、指静脈ユニット４０およびＩＣ読取ユニット５０については図１を参照して説明したのでここでの説明は省略する。
【００３８】
制御部１７は、自動取引装置１の動作全体を制御する。例えば、制御部１７は、通信部２０とホストコンピュータとの通信を制御する通信制御部、および、操作／表示部１０が表示する表示画面を制御する表示制御部としての機能を有する。
【００３９】
ＨＤＤ１８は、自動取引装置１を動作させるために必要な制御プログラムおよびファイルなどが格納されている。
【００４０】
係員操作部１９は、係員用のインターフェースであり、各部の故障や障害などの情報を表示する機能、および、各部の故障や障害に対応するための係員による捜査を受け付ける機能を有する。
【００４１】
通信部２０は、ホストコンピュータとのインターフェースであり、通信回線を介してホストコンピュータと取引のために必要な情報を送受信する。取引のために必要な情報としては、例えば、顧客の口座番号、暗証番号、および預金残高などの顧客情報や、入金金額および出金金額などの取引内容を示す情報などがあげられる。
【００４２】
［１−２．比較例］
ここで、図７から図１０を参照して比較例による自動取引装置１００の情報読取ユニットの配置について説明する。図７に示すように、自動取引装置１００の操作パネル１１３上に紙幣入出金ユニット１１４、テンキー１１０およびテンキー１１０を遮蔽する遮蔽板１２０ａ、１２０ｂが設けられている場合、情報読取ユニットは空いているスペースに設けなければならなかった。
【００４３】
図７に示すスペース１４０は、硬貨入出金ユニットを実装するスペースとして設けられ、スペース１３０には、図８および図９に示すように、指静脈認証ユニット１３２若しくは手のひら静脈認証ユニット１３４が設けられ、スペース１５０には、図１０に示すように、ＩＣ読取ユニット１５２が設けられる。
【００４４】
このように、比較例による自動取引装置１００では、生体情報読取ユニットを複数設ける場合、例えば指静脈認証ユニット１３２および手のひら静脈認証ユニット１３４のどちらか一方を設けるスペースしかなかった。
【００４５】
したがって、複数の生体情報読取ユニットを同時に実装させる場合は、顧客操作パネル１１３の外形を広げたり、その周辺カバーを大型化しなければならなかった。
【００４６】
そこで、上記問題を解決するため、自動取引装置の配置スペースを有効活用することが可能な自動取引装置に至った。以下、このような自動取引装置について＜２．第１の実施形態＞〜＜５．第４の実施形態＞を参照して説明する。
【００４７】
＜２．第１の実施形態＞
まず、本発明の第１の実施形態による自動取引装置の情報読取ユニットの配置について図３を参照して説明する。
【００４８】
図３に示すように、第１の実施形態による自動取引装置１の操作パネル１３上にはテンキー１６が設けられ、テンキー１６を一方向から外装カバー面３０ａで遮蔽するよう手のひら静脈認証ユニット３０が設けられ、上記手のひら静脈認証ユニット３０が設けられる側の逆側からテンキー１６を遮蔽するよう遮蔽板６０が設けられる。手のひら静脈認証ユニット３０のテンキー１６を遮蔽する側とは逆側に、指静脈認証ユニット４０が設けられる。さらに、テンキー１６の後方には紙幣入出金部１４が設けられる。遮蔽板６０のテンキー１６を遮蔽する側と逆側には、ＩＣ読取ユニット５０が設けられる。ＩＣ読取ユニット５０の後方には硬貨入出金部１５が設けられる。テンキー１６は、手のひら静脈認証ユニット３０と遮蔽板６０で形成されるスペースの中央に設けられる。
【００４９】
上記手のひら静脈認証ユニット３０とテンキー１６の配置関係により、手のひら静脈認証ユニット３０の外装カバー面３０ａがテンキー１６を遮蔽する機能を有する。これにより、本実施形態による自動取引装置１は、テンキー１６を遮蔽する遮蔽板（図７の遮蔽板１２０ｂ参照）を別途設けなくともテンキー１６を遮蔽することが可能になり、配置スペースを有効活用することができる。なお、手のひら静脈認証ユニット３０の外装カバー面３０ａの高さは５０ｍｍ〜７０ｍｍ程度としてもよい。
【００５０】
また、テンキー、テンキーを両側から遮蔽する複数の遮蔽板および情報読取ユニットを顧客操作パネルの長手方向に並べて配置すると、図７から図１０に示すように、２つの情報読取ユニットしか設けられない。一方、本実施形態による自動取引装置の配置構成によれば、遮蔽板の厚み（１０ｍｍ〜１５ｍｍ程度）分のスペースが不要になるため、さらに情報読取ユニットを設けることが可能となる。したがって、図３に示すように、手のひら静脈認証ユニット３０のテンキー１６を遮蔽する側とは逆側に、指静脈認証ユニット４０を設けることが可能となる。このように複数の生体情報読取ユニットを設けることで、コンビニＡＴＭなど複数の金融機関の取引を扱う自動取引装置において本人確認に用いる生体情報の種類が金融機関毎に異なる場合でも、取引に応じて必要な生体情報読取ユニットを顧客は使用することができる。
【００５１】
また、手のひら静脈認証ユニット３０の上面には読取部３１が設けられ、顧客は読取部３１上に手をかざすよう手のひら静脈認証ユニット３０に手をセットする。手のひら静脈認証ユニット３０は、上面縁部のうち、顧客が読取部３１に手をかざした際に手首側を支持する第１の縁部と、指先側を支持する第２の縁部が、読取部３１より高くなるよう形成される外装カバーを備える。これにより、顧客が読取部３１に手をかざす際に２つの縁部によりわずかに手が浮いた状態で支持されるため、顧客はセットの姿勢がとりやすい。
【００５２】
さらに、手のひら静脈認証ユニット３０と遮蔽板６０の高さを同一にすることで、美観を高めることができる。特に、遮蔽板６０上部の角部のうち、紙幣入出金部１４側の角部を、上記手のひら静脈認証ユニット３０の第２の縁部の高さと同一にし、遮蔽板６０上部の角部のうち、上記紙幣入出金部１４側と逆側の角部を、上記手のひら静脈認証ユニット３０の第１の縁部の高さと同一にすることで、さらに美観を高めることができる。
【００５３】
＜３．第２の実施形態＞
次に、本発明の第２の実施形態による自動取引装置の情報読取ユニットの配置について図４を参照して説明する。
【００５４】
図４に示すように、第２の実施形態による自動取引装置１の操作パネル１３上にはテンキー１６が設けられ、テンキー１６を一方向から外装カバー面３２ａで遮蔽し、かつテンキー１６側に傾斜する手のひら静脈認証ユニット３２が設けられ、上記手のひら静脈認証ユニット３２が設けられる側の逆側からテンキー１６を遮蔽するよう遮蔽板６２が設けられる。手のひら静脈認証ユニット３２のテンキー１６を遮蔽する側とは逆側に、指静脈認証ユニット４０が設けられる。さらに、テンキー１６の後方には紙幣入出金部１４が設けられる。遮蔽板６２のテンキー１６を遮蔽する側と逆側には、ＩＣ読取ユニット５０が設けられる。ＩＣ読取ユニット５０の後方には硬貨入出金部１５が設けられる。テンキー１６は、手のひら静脈認証ユニット３２と遮蔽板６２で形成されるスペースの中央に設けられる。
【００５５】
上記配置構成により、手のひら静脈認証ユニット３２の外装カバー面３２ａがテンキー１６を遮蔽する機能を有し、第１の実施形態と同様に配置スペースを有効活用することができる。
【００５６】
また、第１の実施形態と同様に、手のひら静脈認証ユニット３２と遮蔽板６２の高さを同一にすることで、美観を高めることができる。
【００５７】
さらに、本実施形態では、図４に示すように、手のひら静脈認証ユニット３２の上面を１０ｍｍ程度テンキー１６方向へずらし、外装カバー面３２ａおよび３２ｂがテンキー１６方向に傾斜している。
【００５８】
このとき、外装カバー面３２ａは、顧客がテンキー１６で入力操作を行う空間を確保するために、こぶしが入る程度、例えば５０ｍｍ程度の高さまでは外装カバー面３２ａを垂直に形成してもよい。なお、手のひら静脈認証ユニット３２の外装カバー面３２ａの高さは１２０ｍｍ程度としてもよい。このように、外装カバー面３２ａを傾斜させることで遮蔽による覗き見防止の効果をさらに発揮させることができる。
【００５９】
また、手のひら静脈認証ユニット３２の指静脈認証ユニット４０側の外装カバー面３２ｂがテンキー１６方向へ傾斜することで、指静脈認証ユニット４０の操作空間が広がり、指静脈認証ユニット４０の操作性が向上する。
【００６０】
また、本実施形態では、手のひら静脈認証ユニット３２の上面が指静脈認証ユニット４０の上面より高くなるよう設けてもよい。これにより、指静脈認証ユニット４０の操作性を向上させる。
【００６１】
＜４．第３の実施形態＞
次に、本発明の第３の実施形態による自動取引装置の情報読取ユニットの配置について図５を参照して説明する。
【００６２】
図５に示すように、第３の実施形態による自動取引装置１の操作パネル１３上にはテンキー１６が設けられ、テンキー１６を一方向から外装カバー面３３ａで遮蔽する生体認証ユニット３３が設けられる。さらに、テンキー１６の後方には紙幣入出金部１４が設けられ、紙幣入出金部１４の取出し口はテンキー１６より高い位置に設けられる。ここで、図５に示す生体情報読取ユニット３３の上面には、手のひら静脈認証用の読取部３４および指静脈認証用の読取部４４が生体認証ユニット３３の短手方向に直列に設けられている。
【００６３】
このように、手のひら静脈認証用の読取部３４と指静脈認証用の読取部４４を一体化させた生体認証ユニット３３を設けることで、配置スペースを有効活用することができる。
【００６４】
また、指静脈認証用の読取部４４を手のひら静脈認証用の読取部３４より高い位置に設けることで、指静脈認証用の読取部４４および手のひら静脈認証用の読取部３４の双方の操作性を向上させることができる。
【００６５】
なお、生体認証ユニット３３が設けられる側の逆側は図示しないが、例えばテンキー１６を遮蔽する遮蔽板６２が設けられる。テンキー１６は、生体認証ユニット３３と遮蔽板６２で形成されるスペースの中央に設けられる。
【００６６】
＜５．第４の実施形態＞
次に、本発明の第４の実施形態による自動取引装置の情報読取ユニットの配置について図６を参照して説明する。
【００６７】
図６に示すように、第４の実施形態による自動取引装置１の操作パネル１３上にはテンキー１６が設けられ、テンキー１６を一方向から外装カバー面３０ａで遮蔽するよう手のひら静脈認証ユニット３０が設けられる。手のひら静脈認証ユニット３０のテンキー１６を遮蔽する側とは逆側に、指静脈認証ユニット４０が設けられる。さらに、テンキー１６の後方には紙幣入出金部１４が設けられる。テンキー１６の手のひら静脈認証ユニット３０が設けられる側とは逆側に、テンキー１６を遮蔽する外装カバー面５２ａを有するＩＣ読取ユニット５２が設けられる。ＩＣ読取ユニット５２の後方には硬貨入出金部１５が設けられる。テンキー１６は、手のひら静脈認証ユニット３０とＩＣ読取ユニット５２で形成されるスペースの中央に設けられる。
【００６８】
上記ＩＣ読取ユニット５２とテンキー１６の配置関係により、ＩＣ読取ユニット５２の外装カバー面５２ａがテンキー１６を遮蔽する機能を有する。これにより、本実施形態による自動取引装置１は、テンキー１６を遮蔽する遮蔽板（図７の遮蔽板１２０ａ参照）を別途設けなくともテンキー１６を遮蔽することが可能になり、配置スペースを有効活用することができる。
【００６９】
また、図６に示すように、ＩＣ読取ユニット５２の外装カバー面５２ａは、ＩＣからデータを読み取る読取部５３より高く形成される。これにより、ＩＣ読取ユニット５２全体を高くすることによる操作者（顧客）への圧迫感を軽減することができる。
【００７０】
さらに、テンキー１６を一方向から遮蔽する外装カバー面３０ａと、他方向から遮蔽する外装カバー面５２ａの高さを同一にすることで、第１の実施形態と同様に、美観を高めることができる。
【００７１】
＜６．まとめ＞
以上、各実施形態を用いて説明した自動取引装置１は、情報読取ユニットの外装カバーでテンキーなどの操作部を遮蔽することで、配置スペースの有効活用を実現できる。したがって、操作パネルの外形やその周辺カバーを大型化することなく、情報読取ユニットをより多く配置することができる。例えば複数の生体情報読取ユニットを設けることで、コンビニＡＴＭなど複数の金融機関の取引を扱う自動取引装置において本人確認に用いる生体情報の種類が金融機関毎に異なる場合でも、取引に応じて必要な生体情報読取ユニットを顧客は使用することができる。
【００７２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７３】
例えば、上記各実施形態の情報読取ユニットの配置構成を組み合わせた変更例でもよい。一例としては、第２の実施形態による手のひら静脈認証ユニット３２と、第４の実施形態によるＩＣ読取ユニット５２を組み合わせた変更例が考えられる。
【００７４】
また、上記第１、２および４の実施形態において、手のひら静脈認証ユニットと指静脈認証ユニットの配置は逆であってもよい。この場合、指静脈認証ユニットの外装カバー面によりテンキー１６を遮蔽する。
【００７５】
また、手のひら静脈認証ユニット、指静脈認証ユニットおよびＩＣ読取ユニット等の情報読取ユニットの少なくともいずれかの外装カバー面が、テンキー１６を遮蔽する構成でもよい。
【符号の説明】
【００７６】
１    自動取引装置
１０    操作／表示部
１１    カード取扱部
１２    レシート取扱部
１３    顧客操作パネル
１４    紙幣入出金部
１５    硬貨入出金部
１６    テンキー
１７    制御部
１８    ＨＤＤ
１９    係員操作部
２０    通信部
３０、３２    手のひら静脈認証ユニット
３０ａ、３２ａ、３２ｂ、３３ａ、５２ａ    外装カバー面
３１、３４、４４、５３    読取部
３３    生体認証ユニット
４０    指静脈認証ユニット
５０、５２    ＩＣ読取ユニット
６０、６２    遮蔽板
【図１】
0005720272.tif 000002
【図２】
0005720272.tif 000003
【図３】
0005720272.tif 000004
【図４】
0005720272.tif 000005
【図５】
0005720272.tif 000006
【図６】
0005720272.tif 000007
【図７】
0005720272.tif 000008
【図８】
0005720272.tif 000009
【図９】
0005720272.tif 000010
【図１０】
0005720272.tif 000011